(57)【特許請求の範囲】
【請求項１】
指令卓内のスケルトン画面データ作成部によって作成されたスケルトン画面を表示する電力管理用スケルトン画面の表示装置において、
ユーザによるデータ作成用の変電所設備シンボル座標データ作成装置用ディスプレイと、
前記スケルトン画面を表示するための指令卓用ディスプレイと、
前記変電所設備シンボル座標設定入力データをもとに、変電所設備シンボル座標データ作成部により変電所設備シンボル座標データを作成し、当該変電所設備シンボル座標データを、前記変電所設備シンボル座標データ作成装置用ディスプレイに表示する変電所設備シンボル座標データ表示処理部と、
前記スケルトン画面データ作成部により、前記変電所設備シンボル座標データと、変電所設備基本データと、変電所設備状態データよりスケルトン画面データを作成し、当該スケルトン画面データを前記指令卓用ディスプレイに表示するスケルトン画面データ表示処理部とを有し、
前記変電所設備状態データは、変電所設備状態データ受信部により配電盤から変電所の設備状態を受信した変電所制御装置により作成される変電所設備状態データとして受信したものであり、
前記変電所設備シンボル座標データは、外付けされた変電所設備シンボル座標データ作成装置の変電所設備シンボル座標設定入力データ処理部によって、前記変電所設備シンボル座標データ作成装置用ディスプレイに表示されるスケルトン画面上でユーザが座標を設定入力したデータをもとに変電所設備シンボル座標設定入力データとして作成されたものであり、
前記変電所設備シンボル座標データと、前記変電所設備基本データと、前記変電所設備状態データとは各データに設定されている設備番号によって互いにリンク付けがなされ、
ユーザが前記変電所設備シンボル座標データ作成装置用ディスプレイを見ながら、前記変電所設備シンボル座標設定入力データ処理部により追加・変更・削除すべき変電所設備を表示するシンボルの座標を設定入力可能とし、前記変電所設備シンボル座標データ作成部で作成したデータは、前記指令卓内の変電所設備シンボル座標データとして反映され、前記変電所設備シンボル座標データ作成装置用ディスプレイに表示すること
を特徴とする電力管理用スケルトン画面の変更表示装置。
【請求項２】
請求項１記載の電力管理用スケルトン画面の変更表示装置であって、ユーザが作成した情報を読み込むことでスケルトン画面シンボルの追加・変更・削除を可能とすることを特徴とする電力管理用スケルトン画面の変更表示装置。
【発明の詳細な説明】
【技術分野】
【０００１】
本発明は、変電所設備を制御及び監視する電力管理システムに用いられるものであって、特に変電所設備の状態確認及び制御操作を行うスケルトン画面上の変電所設備シンボルの追加・変更・削除を行う電力管理用スケルトン画面の変更表示装置に関するものである。
【背景技術】
【０００２】
スケルトン画面は、変電所設備を変電所設備シンボルとして画面上に表示し、変電所設備の状態確認及び変電所設備間の充電・停電状態が一目で分かるようになっている。また、変電所設備への制御操作を行うことができる。
【０００３】
スケルトン画面は、専門的な知識をもったものが作成し、変電所設備基本データ及び変電所設備状態データを読み込むことで、変電所設備の状態確認、変電所設備間の充電・停電状態確認及び変電所設備への制御操作を行っている。
【０００４】
特許文献１（特開２００８−９７４２４号公報）には、監視制御対象をリストアップした機器リストに、この監視制御対象に対する監視制御用の部品を定義するだけで、自動的に信号定義を生成し、エンジニアリングの作業を効率化するエンジニアリングツールを得る発明が開示されている。この発明においては、部品管理により、ＯＰＳ画面部品及びＣＮＳロジック部品を生成するとともにこれらの部品で使用される部品信号を定義して部品を生成する。監視制御対象と部品とを対応付けた機器リストを作成すれば、アプリケーション自動生成機能が機器リストに基づき、部品からＯＰＳ画面部品及びＣＮＳロジック部品を抽出して各部品で使用される信号を定義した信号定義を生成し、この信号定義を用いて、監視画面及びＣＮＳロジックを作成するようにした。
【０００５】
特許文献２（特開２００４−２１３２７７号公報）には、ロジック図編集に当る作業者の負担を軽減し、しかも間違いのないロジック図編集ができるロジック図編集装置を提供する発明が開示されている。この発明においては、プラント制御装置用のプログラムを図面化したロジック図およびこのロジック図に含まれる定数、変数を含むロジック図データを画面に表示する表示装置と、ブロック化された命令およびこの命令を有機的に結合して前記ロジック図を形成するシンボルを配置するか、または配置されたシンボルを選択する入力装置とを有し、前記ロジック図データの作成編集のために設けられた前記ロジック図および定数などの作成、設定を行うための画面の作成、前記ロジック図データの保持および前記表示装置への表示データの出力などを行うロジック図編集装置において、前記入力装置からの、選択しているシンボルを表す選択情報を用いてシンボルに対する設定項目を解析し、前記ロジック図の作成時における編集モードを自動切替する設定項目解析手段をそなえたことを特徴とする。
【０００６】
特許文献３（特開平９−３３１３３９号公報）には、被監視制御装置群の構成が変更された場合に監視制御装置側が自動的に認識して、被監視制御装置構成情報を変更するとした発明が開示されている。この発明においては、被監視制御装置が監視制御装置に送るデータパケットの中に装置種類識別子用のフィールドを設ける。監視制御装置は、今まで被監視制御装置として認識していないアドレスのパケットを受信した場合、そのアドレスが以前に使われていない場合には、新しく接続された装置の状態をあらわすシンボルをどの監視画面に追加するかをユーザに選択させ、新装置のデータを追加する。そのアドレスが以前に使われていて、装置種類が以前と異なう場合には、ユーザに装置変更を確認させ、以前の装置のデータを削除して新装置のデータを追加する。被監視制御装置群の構成が変更された場合監視制御装置側が自動的に認識してデータベースを変更する。
【０００７】
特許文献４（特開平６−３５６４５号公報）には、画面作成・編集作業を効率よくなし得、かつ接続される外部制御装置の処理負担を軽減する発明が開示されている。この発明においては、ユーザ画面データを各画面単位に複数個予め登録するメモリと、登録されたデータを表示する表示デバイスと、表示画面の操作スイッチに対する入力態様を指定する入力手段とを具え、所要の表示動作を実行すると共に、操作スイッチの情報を外部制御装置に送信する機能を有するグラフィック操作パネルにおいて、メモリに任意の部品データを登録できる部品登録領域を設け、各１つの部品データ用の登録領域に対し、固定表示要素情報、可変表示要素情報、入力手段と当該部品に含まれる操作スイッチとの対応関係を示す入力要素情報、および当該部品を動作させるための所要の情報を各部品に応じて設定登録可能にするとともに、設定登録された部品データを単位としてメモリに登録するユーザ画面データの作成処理を行えるようにする。
【先行技術文献】
【特許文献】
【０００８】
【特許文献１】特開２００８−９７４２４号公報
【特許文献２】特開２００４−２１３２７７号公報
【特許文献３】特開平９−３３１３３９号公報
【特許文献４】特開平６−３５６４５号公報
【発明の概要】
【発明が解決しようとする課題】
【０００９】
上記従来技術では、スケルトン画面上の変電所設備シンボルの追加・変更・削除は、専門的な知識をもった者がスケルトン画面を改造する必要があり、ユーザが自由に変電所設備シンボルの追加・変更・削除を行うことができない。
【００１０】
ユーザが変電所設備の工事において、変電所設備の追加・変更・削除を行う際、専門的な知識をもった者にスケルトン画面の改造を依頼する必要があり、現地側の工事とスケルトン画面の改造を同じタイミングで実施することは難しい。
【００１１】
本発明の課題は、ユーザが自由に変電所設備シンボルの追加・変更・削除を実現する電力管理用スケルトン画面の変更表示装置を提供することにある。
【課題を解決するための手段】
【００１２】
本発明は、上記課題を解決するために、変電所設備シンボル座標データ作成装置を電力管理用スケルトン画面の表示装置に対して外付けして設けることにより、当該変電所設備シンボル座標データ作成装置のデータはユーザにて変更可能として、ユーザにて変更可能なデータを読み込むことで、スケルトン画面データを作成し、作成したスケルトン画面データを変更表示するものである。
【００１３】
本発明の電力管理用スケルトン画面の変更表示装置は、指令卓内のスケルトン画面データ作成部によって作成されたスケルトン画面を表示する電力管理用スケルトン画面の表示装置において、ユーザによるデータ作成用の変電所設備シンボル座標データ作成装置用ディスプレイと、前記スケルトン画面を表示するための指令卓用ディスプレイと、前記変電所設備シンボル座標設定入力データをもとに、変電所設備シンボル座標データ作成部により変電所設備シンボル座標データを作成し、当該変電所設備シンボル座標データを、前記変電所設備シンボル座標データ作成装置用ディスプレイに表示する変電所設備シンボル座標データ表示処理部と、前記スケルトン画面データ作成部により、前記変電所設備シンボル座標データと、変電所設備基本データと、変電所設備状態データよりスケルトン画面データを作成し、当該スケルトン画面データを前記指令卓用ディスプレイに表示するスケルトン画面データ表示処理部とを有し、前記変電所設備状態データは、変電所設備状態データ受信部により配電盤から変電所の設備状態を受信した変電所制御装置により作成される変電所設備状態データとして受信したものであり、前記変電所設備シンボル座標データは、外付けされた変電所設備シンボル座標データ作成装置の変電所設備シンボル座標設定入力データ処理部によって、前記変電所設備シンボル座標データ作成装置用ディスプレイに表示されるスケルトン画面上でユーザが座標を設定入力したデータをもとに変電所設備シンボル座標設定入力データとして作成されたものであり、前記変電所設備シンボル座標データと、前記変電所設備基本データと、前記変電所設備状態データとは各データに設定されている設備番号によって互いにリンク付けがなされ、ユーザが前記変電所設備シンボル座標データ作成装置用ディスプレイを見ながら、前記変電所設備シンボル座標設定入力データ処理部により追加・変更・削除すべき変電所設備を表示するシンボルの座標を設定入力可能とし、前記変電所設備シンボル座標データ作成部で作成したデータは、前記指令卓内の変電所設備シンボル座標データとして反映され、前記変電所設備シンボル座標データ作成装置用ディスプレイに表示することを特徴とする。
【００１４】
さらに本発明の電力管理用スケルトン画面の変更表示装置は、電力管理用スケルトン画面の変更表示装置であって、ユーザが作成した情報を読み込むことでスケルトン画面シンボルの追加・変更・削除を可能とすることを特徴とする。
【発明の効果】
【００１５】
本発明によれば、ユーザが変電所設備の工事等によりスケルトン画面を変更することになった場合、専門的な知識をもった者にスケルトン画面の改造を依頼することなく、ユーザにて自由にスケルトン画面上の変電所設備シンボルの追加・変更・削除を行うことができる。
【図面の簡単な説明】
【００１６】
【図１】本発明のスケルトン画面の一実施形態（システムブロック図）。
【図２】本発明の動作例を示すフロー。
【発明を実施するための形態】
【００１７】
本発明は、変電所設備シンボル座標データ作成装置のデータはユーザにて変更可能として、ユーザにて変更可能なデータを読み込むことで、スケルトン画面データを作成し、作成したスケルトン画面データを表示することで、ユーザのみでのスケルトン画面の変更が可能となる。
【実施例】
【００１８】
図１は、本発明が適用される電力管理用スケルトン画面表示装置全体の一実施形態を示す。図１の電力管理用スケルトン画面表示装置１００においては、スケルトン画面１７にて変電所設備の状態確認及び制御操作を行う。ここで、変電所設備の工事において、変電所設備の追加・変更・削除を行う際、従来では、専門的な知識をもった者がスケルトン画面１７を改造し、変電所設備とスケルトン画面１７上の変電所設備シンボルの状態を一致させなければならない。
【００１９】
本発明の実施形態においては、スケルトン画面１７への表示の変更を以下のようにして行うものである。電力管理用スケルトン画面表示装置１００はスケルトン画面１７への表示のために指令卓２００を備えている。この指令卓２００は、従来の電力管理用スケルトン画面表示装置１００として備えられているスケルトン画面表示のためのシステムである。この指令卓２００内に設けられた変電所設備状態データ受信部９では、配電盤１から変電所１８の設備状態を受信した変電所制御装置２により作成される変電所設備状態データ１２を受信する。
【００２０】
この指令卓２００内のスケルトン画面データ作成部１３では、変電所制御装置２から変電所設備状態データ受信部９が受信した変電所設備状態データ１２（図２のステップ２２に対応）と、変電所設備基本データ１０（図２のステップ２０に対応）及び変電所設備シンボル座標設定入力データ５から変電所設備シンボル座標データ作成部６にて作成した変電所設備シンボル座標データ１１（図２のステップ２１に対応）を元にスケルトン画面データ１４を作成する（図２の２３）。
【００２１】
変電所設備基本データ１０では、各設備のナンバー及び名称、設備種別、シンボルの種類、シンボルの形状を設定する。変電所設備シンボル座標データ１１では、各設備ナンバーに対応して変電所設備シンボルの座標が設定されている。変電所設備状態データ１２では、各設備ナンバーに対応して変電所設備の状態が設定されている（図２参照）。
【００２２】
変電所設備基本データ１０、変電所設備シンボル座標データ１１及び変電所設備状態データ１２では、各データに設定されている設備Ｎｏ．によって各データがリンクしている。これにより、ユーザが作成する変電所設備基本データ１０及び変電所設備シンボル座標データ１１と、変電所設備状態データ１２を元にスケルトン画面データ１４を作成することができる。
【００２３】
本発明においては、従来の指令卓２００に対して変電所設備シンボル座標データ作成装置３００を外付けの構成として、ユーザが表示画面の作成のための使用に供したものである。外付けした変電所設備シンボル座標データ作成装置３００の変電所設備シンボル座標設定入力データ処理部３では、作業用ＰＣ１９の変電所設備シンボル座標データ作成装置用ディスプレイ７に表示している座標データ作成画面８から、ユーザが設定入力したデータを受信し、変電所設備シンボル座標設定入力データ５を作成する。
【００２４】
変電所設備シンボル座標データ表示処理部４では、変電所設備シンボル座標データ作成部６から受信した変電所設備シンボル座標データを変電所設備シンボル座標データ作成装置用ディスプレイ７に表示する。このようにしてユーザは、作業用ＰＣ１９の変電所設備シンボル座標データ作成装置用ディスプレイ７を見ながら、変電所設備シンボル座標設定入力データ処理部３により変更すべき変電所設備を表示するシンボルの座標を設定入力することが可能なものである。
【００２５】
同時に、本発明においては、ユーザにより、変電所設備シンボル座標データ作成部６で作成したデータは、指令卓２００内の変電所設備シンボル座標データ１１として反映される。指令卓２００内では、スケルトン画面データ作成部１３において、変電所設備基本データ１０、変電所設備シンボル座標データ１１及び変電所設備状態データ１２により表示すべきスケルトン画面データ１４が作成される。そしてスケルトン画面データ表示処理部１５では、スケルトン画面データ作成部１３から受信したスケルトン画面データ１４を指令卓用ディスプレイ１６に表示する。
【００２６】
以上のように、本発明の電力管理用スケルトン画面の変更表示装置を纏めると、配電盤１から変電所１８の設備状態を受信した変電所制御装置２により作成される変電所設備状態データを受信する変電所設備状態データ受信部９と、ユーザが座標を設定入力したデータをもとに変電所設備シンボル座標設定入力データを作成する変電所設備シンボル座標設定入力データ処理部３と、変電所設備シンボル座標設定入力データ５をもとに変電所設備シンボル座標データを作成する変電所設備シンボル座標データ作成部６と、変電所設備シンボル座標データを変電所設備シンボル座標データ作成装置用ディスプレイ７に表示する変電所設備シンボル座標データ表示処理部４と、変電所設備シンボル座標データとユーザが作成した変電所設備基本データと変電所設備状態データよりスケルトン画面データを作成するスケルトン画面データ作成部１３と、スケルトン画面データを指令卓用ディスプレイ１６に表示するスケルトン画面データ表示処理部１５を有する電力管理用スケルトン画面表示装置であって、専門的な知識を持たないユーザが作成した情報を読み込むことでスケルトン画面シンボルの追加・変更・削除を可能とすることを特徴とする。
【００２７】
さらに、本発明の電力管理用スケルトン画面の変更表示装置は、配電盤１から変電所１８の設備状態を受信した変電所制御装置により作成される変電所設備状態データを受信する変電所設備状態データ受信部９と、ユーザが座標を設定入力したデータをもとに変電所設備シンボル座標設定入力データを作成する変電所設備シンボル座標設定入力データ処理部３と、変電所設備シンボル座標設定入力データをもとに変電所設備シンボル座標データを作成する変電所設備シンボル座標データ作成部６と、変電所設備シンボル座標データを変電所設備シンボル座標データ作成装置用ディスプレイに表示する変電所設備シンボル座標データ表示処理部４と、変電所設備シンボル座標データとユーザが作成した変電所設備基本データと変電所設備状態データよりスケルトン画面データを作成するスケルトン画面データ作成部１３と、スケルトン画面データを指令卓用ディスプレイに表示するスケルトン画面データ表示処理部１５を有する電力管理用スケルトン画面表示装置であって、変電所設備シンボル座標データと変電所設備基本データからスケルトン画面シンボルを表示することを特徴とする。
【００２８】
以上のように、本発明においては、指令卓２００内の変電所設備状態データ受信部９が、配電盤１から変電所１８の設備状態を受信した変電所制御装置２により作成される変電所設備状態データ１２を受信する。外付けの変電所設備シンボル座標データ作成装置３００の変電所設備シンボル座標設定入力データ処理部３では、ユーザが座標を設定入力したデータをもとに変電所設備シンボル座標設定入力データ５を作成する。この変電所設備シンボル座標設定入力データ５をもとに変電所設備シンボル座標データを作成する。同時に指令卓２００内の変電所設備シンボル座標データ１１は、変電所設備シンボル座標データ作成部６からのデータを受け取る。変電所設備シンボル座標データ表示処理部４によって、作業用ＰＣ１９の変電所設備シンボル座標データ作成装置用ディスプレイ７にスケルトン画面を表示する。指令卓２００側では、スケルトン画面データ作成部１３が、変電所設備シンボル座標データ１１と変電所設備基本データ１０と変電所設備状態データ１２よりスケルトン画面データ１４を作成し、スケルトン画面データ表示処理部１５がスケルトン画面データ１４を指令卓用ディスプレイ１６に表示する。
【００２９】
このように、本発明においては、電力管理用スケルトン画面表示装置であっても、作業用ＰＣ１９を操作することにより、専門的な知識を持たないユーザが作成した情報を読み込むことでスケルトン画面シンボルの追加・変更・削除を可能とする。
【符号の説明】
【００３０】
１…配電盤
２…変電所制御装置
３…変電所設備シンボル座標設定入力データ処理部
４…変電所設備シンボル座標データ表示処理部
５…変電所設備シンボル座標設定入力データ
６…変電所設備シンボル座標データ作成部
７…変電所設備シンボル座標データ作成装置用ディスプレイ
８…座標データ作成画面
９…変電所設備状態データ受信部
１０…変電所設備基本データ
１１…変電所設備シンボル座標データ
１２…変電所設備状態データ
１３…スケルトン画面データ作成部
１４…スケルトン画面データ
１５…スケルトン画面データ表示処理部
１６…指令卓用ディスプレイ
１７…スケルトン画面
【図１】
0005504109.tif 000002
【図２】
0005504109.tif 000003